(57)【要約】【課題】１つの装置で紙幣および硬貨の各々の入金処理および両替処理の両方を行うことができ、しかも省スペース化を図ると共に金融営業店での貨幣の回転効率を良好なものとすることができる貨幣処理装置を提供する。【解決手段】貨幣処理装置１０は、筐体１１と、バラ紙幣入出金部２０と、バラ硬貨入金部３０と、バラ硬貨出金部４０と、包装硬貨出金部５０とを備えている。バラ紙幣入出金部２０は、筐体１１の外部から内部に取り込まれたバラ紙幣を識別してバラ紙幣収納部分２６ａ〜２６ｄに収納するとともに、この収納されたバラ紙幣を筐体１１の外部に出す。バラ硬貨入金部３０は、筐体１１の外部から内部に取り込まれたバラ硬貨を識別して第１のバラ硬貨収納部分３５ａ〜３５ｃに収納する。バラ硬貨出金部４０は、第２のバラ硬貨収納部分４１ａ〜４１ｄに収納されたバラ硬貨を筐体１１の外部に出す。【選択図】図１
2010026926.tif 000002
【特許請求の範囲】
【請求項１】
紙幣および硬貨からなる貨幣を処理する貨幣処理装置であって、
筐体と、
前記筐体の外部から内部にバラ紙幣を取り込み、この取り込まれたバラ紙幣を識別して前記筐体の内部に設けられたバラ紙幣収納部分に収納するとともに、このバラ紙幣収納部分に収納されたバラ紙幣を前記筐体の外部に出すバラ紙幣入出金部と、
前記筐体の外部から内部にバラ硬貨を取り込み、この取り込まれたバラ硬貨を識別して前記筐体の内部に設けられた第１のバラ硬貨収納部分に収納するバラ硬貨入金部と、
前記筐体の内部に設けられた第２のバラ硬貨収納部分に収納されたバラ硬貨を前記筐体の外部に出すバラ硬貨出金部と、
前記筐体の内部に設けられた包装硬貨収納部分に収納された包装硬貨を前記筐体の外部に出す包装硬貨出金部と、
を備えたことを特徴とする貨幣処理装置。
【請求項２】
前記バラ硬貨入金部の前記第１のバラ硬貨収納部分は、前記筐体の外部から内部に取り込まれた全ての金種のバラ硬貨を混合して収納するようになっていることを特徴とする請求項１記載の貨幣処理装置。
【請求項３】
前記バラ硬貨出金部の前記第２のバラ硬貨収納部分は、１または複数の特定の金種のみの硬貨を金種毎に収納するようになっていることを特徴とする請求項１または２記載の貨幣処理装置。
【発明の詳細な説明】
【技術分野】
【０００１】
本発明は、紙幣および硬貨からなる貨幣を処理する貨幣処理装置に関し、とりわけ１つの装置で紙幣および硬貨の各々の入金処理および両替処理の両方を行うことができ、しかも省スペース化を図ると共に金融営業店での貨幣の回転効率を良好なものとすることができる貨幣処理装置に関する。
【背景技術】
【０００２】
銀行の本店や支店等の金融営業店のロビー等には、入金機や両替機が設置されている。入金機としては、例えば特許文献１等に開示されるものが知られており、紙幣や硬貨等の貨幣を入金する機能を有している。一方、両替機としては、例えば特許文献２等に開示されるものが知られており、紙幣、包装硬貨、バラ硬貨等の異なる形態の貨幣間で他の形態への両替を行う機能を有している。なお、これらの入金機および両替機は互いに独立して別個に設けられており、通信接続されていない場合が多い。
【０００３】
小売店の売上金等の、大量の紙幣および硬貨からなる貨幣を持って金融営業店に入った顧客は、まず特許文献１に示されるような入金機の投入口へ貨幣の投入を行い、計数スタートの指示を行う。入金機における貨幣の計数が終了した後、小売店における釣銭の準備等のための両替が必要な場合は、顧客は特許文献２に示されるような両替機で両替を行うこととなる。このように、従来の金融営業店等では、入金機と両替機が互いに独立して別個に設けられているので、顧客にとって貨幣の入金処理および両替処理の両方を行う必要がある場合には、入金機および両替機の各々で貨幣の処理を行わなければならず処理時間が長くなってしまうという問題がある。また、入金機および両替機の２台の装置を金融営業店のロビー等に設置することは、設置スペースや機器投資の面で非効率であった。
【０００４】
一方、特許文献３には、貨幣の入金処理および両替処理の両方を行うことができるような貨幣取引処理装置が開示されている。このような貨幣取引処理装置は、バラ紙幣およびバラ硬貨の各々のリサイクル処理を行う機能を有しており、１台の装置で大量の紙幣や硬貨の入金、出金、束紙幣の作成および投出、ならびに包装硬貨の作成および投出を行うことができるようになっている。ここで、バラ紙幣やバラ硬貨のリサイクル処理とは、筐体の外部から内部にバラ紙幣やバラ硬貨を取り込み、この取り込まれたバラ紙幣やバラ硬貨を識別して筐体の内部に収納するとともに、この収納されたバラ紙幣やバラ硬貨を筐体の外部に出すような処理のことをいう。
【０００５】
【特許文献１】特開２００２−２０３２６４号公報
【特許文献２】特開２００１−１３４８０１号公報
【特許文献３】特開２００４−７０４８６号公報
【発明の開示】
【発明が解決しようとする課題】
【０００６】
しかしながら、特許文献３に示されるような貨幣取引処理装置においては、両替処理で顧客が望む出金硬貨の金種は１００円硬貨および５００円硬貨が多いのに対し、入金処理で顧客により入金される硬貨の金種は１００円硬貨および５００円硬貨が特段多いわけではないので、バラ硬貨のリサイクル処理や包装処理が効率的に行われていないという問題がある。具体的には、特許文献３に示される貨幣取引処理装置においては、１００円硬貨および５００円硬貨は両替処理で出金される場合が多いのでバラ硬貨のリサイクル機能が設けられているにもかかわらず頻繁にこれらの金種の硬貨を貨幣取引処理装置に補充しなければならない。一方、それ以外の金種の硬貨は両替処理で出金される場合が少なく、両替処理で出金される枚数よりも入金処理で入金される枚数のほうが多くなりがちなので、バラ硬貨のリサイクル機能が設けられているにもかかわらずこれらの金種の硬貨は頻繁に貨幣取引処理装置から回収しなければならない。
【０００７】
また、両替処理で出金される紙幣は釣銭として使用される場合が多いので、顧客はバラ紙幣で出金されることを望む場合が多く束紙幣で出金されることは少ない。このため、特許文献３に示すような貨幣取引処理装置において、あまり出金されることのない束紙幣を筐体内に収納しておくことは、金融営業店での紙幣の回転効率を悪化させるとともに、バラ紙幣結束機能や束紙幣出金機能が効率的に用いられていないという問題がある。
【０００８】
このように、特許文献３に示すような貨幣取引処理装置においては、バラ硬貨のリサイクル機能、バラ硬貨の包装機能、バラ紙幣結束機能あるいは束紙幣出金機能の用いられる頻度が少なく、これらの機能を備えているが故に非効率となりがちである。また、特許文献３に示すような貨幣取引処理装置はこれらの機能を備えることにより全体的に大型化してしまっているという問題がある。
【０００９】
本発明は、このような点を考慮してなされたものであり、１つの装置で紙幣および硬貨の各々の入金処理および両替処理の両方を行うことができ、しかも省スペース化を図ると共に金融営業店での貨幣の回転効率を良好なものとすることができる貨幣処理装置を提供することを目的とする。
【課題を解決するための手段】
【００１０】
本発明の貨幣処理装置は、紙幣および硬貨からなる貨幣を処理する貨幣処理装置であって、筐体と、前記筐体の外部から内部にバラ紙幣を取り込み、この取り込まれたバラ紙幣を識別して前記筐体の内部に設けられたバラ紙幣収納部分に収納するとともに、このバラ紙幣収納部分に収納されたバラ紙幣を前記筐体の外部に出すバラ紙幣入出金部と、前記筐体の外部から内部にバラ硬貨を取り込み、この取り込まれたバラ硬貨を識別して前記筐体の内部に設けられた第１のバラ硬貨収納部分に収納するバラ硬貨入金部と、前記筐体の内部に設けられた第２のバラ硬貨収納部分に収納されたバラ硬貨を前記筐体の外部に出すバラ硬貨出金部と、前記筐体の内部に設けられた包装硬貨収納部分に収納された包装硬貨を前記筐体の外部に出す包装硬貨出金部と、を備えたことを特徴とする。
【００１１】
このような貨幣処理装置においては、バラ紙幣入出金部によりバラ紙幣の入金処理および出金処理を行い、また、バラ硬貨入金部によりバラ硬貨の入金処理を行うとともにバラ硬貨出金部によりバラ硬貨の出金処理を行い、さらに包装硬貨出金部により包装硬貨の出金処理を行うようになっており、１つの装置で紙幣および硬貨の各々の入金処理および両替処理の両方を行うことができるようになっている。また、バラ紙幣はバラ紙幣入出金部によりリサイクル処理されるのに対し、バラ硬貨はリサイクル処理されることなく、代わりに、バラ硬貨入金部において筐体の内部に取り込まれたバラ硬貨は第１のバラ硬貨収納部分に収納されるとともにこの第１のバラ硬貨収納部分とは異なる第２のバラ硬貨収納部分に収納されたバラ硬貨が筐体の外部に出されるようになっている。ここで、紙幣および硬貨の両方をリサイクル処理しようとすると、貨幣処理装置が大型化してしまうという問題がある。すなわち、両替処理には必ずしも全金種の紙幣および硬貨が必要となるわけではない。具体的には、両替処理において出金が必要とされる硬貨の金種は全ての金種ではなく、特定の金種の硬貨のみとなっている。このため、全ての硬貨をリサイクル処理しようとした場合には両替処理で出金が必要とされない硬貨までも保管しておくこととなり、貨幣の回転効率が悪くなってしまう。これに対して、上述のような貨幣処理装置によれば、硬貨のリサイクル処理は行わないので、この貨幣処理装置に設けられる機能を最小限のものとすることができるので装置全体を小型化することができ、このため省スペース化を図ることができる。さらに、両替処理において一般的に出金されることの少ない束紙幣に関しては、このような束紙幣の出金機能自体を省略したので、上述のような貨幣処理装置において束紙幣を筐体内に収納する必要がなくなり、金融営業店での貨幣の回転効率を良好なものとすることができる。
【００１２】
本発明の貨幣処理装置においては、前記バラ硬貨入金部の前記第１のバラ硬貨収納部分は、前記筐体の外部から内部に取り込まれた全ての金種のバラ硬貨を混合して収納するようになっていることが好ましい。このことにより、バラ硬貨入金部において筐体の外部から内部に取り込まれたバラ硬貨を金種毎に分ける必要がなくなるので、より迅速にバラ硬貨の入金処理を行うことができる。また、金種別にバラ硬貨の収納部分を設けていた場合には、特定の金種のバラ硬貨が他の金種のバラ硬貨よりも多く筐体の内部に取り込まれると、この特定の金種のバラ硬貨を当該金種に対応する収納部分から頻繁に回収しなければならなくなるので、作業効率が悪くなるという問題がある。しかしながら、全ての金種のバラ硬貨を混合して収納するようにすれば、バラ硬貨の回収動作をより効率的に行うことができるようになる。
【００１３】
本発明の貨幣処理装置においては、前記バラ硬貨出金部の前記第２のバラ硬貨収納部分は、１または複数の特定の金種のみの硬貨を金種毎に収納するようになっていることが好ましい。このように、バラ硬貨出金部の第２のバラ硬貨収納部分は、全ての金種の硬貨を金種毎に収納しているわけではなく、出金処理で頻繁に釣銭として出金される金種のみの硬貨を金種毎に収納することにより、第２のバラ硬貨収納部分における収納されるべき硬貨の金種の数を減らすことができるのでバラ硬貨出金部の構成をよりシンプルなものとすることができ、貨幣処理装置全体のより一層の小型化を図ることができる。
【発明の効果】
【００１４】
本発明の貨幣処理装置によれば、１つの装置で紙幣および硬貨の各々の入金処理および両替処理の両方を行うことができ、しかも省スペース化を図ると共に金融営業店での貨幣の回転効率を良好なものとすることができる。
【発明を実施するための最良の形態】
【００１５】
以下、図面を参照して本発明の一の実施の形態について説明する。図１乃至図５は、本実施の形態に係る貨幣処理装置を示す図である。このうち、図１は、本実施の形態に係る貨幣処理装置の全体構成を示す概略構成図であり、図２は、図１に示す貨幣処理装置におけるバラ紙幣入出金部の構成を示す概略構成図であり、図３は、図１に示す貨幣処理装置におけるバラ硬貨入金部の構成を示す概略構成図である。また、図４は、図１に示す貨幣処理装置におけるバラ硬貨出金部の構成を示す概略構成図であり、図５は、図１に示す貨幣処理装置における包装硬貨出金部の構成を示す概略構成図である。
【００１６】
まず、図１により、本実施の形態に係る貨幣処理装置の全体構成について説明する。図１に示すように、貨幣処理装置１０は略直方体形状の筐体１１を備えており、この筐体１１の内部には、バラ紙幣入出金部２０、バラ硬貨入金部３０、バラ硬貨出金部４０、包装硬貨出金部５０および制御部６０がそれぞれ設置されている。ここで、図１に示すように、バラ紙幣入出金部２０、バラ硬貨入金部３０、バラ硬貨出金部４０および包装硬貨出金部５０はそれぞれ制御部６０に通信接続されており、この制御部６０はバラ紙幣入出金部２０、バラ硬貨入金部３０、バラ硬貨出金部４０および包装硬貨出金部５０の制御をそれぞれ行うようになっている。また、図１に示すように、貨幣処理装置１０には、操作者が貨幣処理装置１０の制御部６０に対して様々な指令を行うための操作部６２、および貨幣処理装置１０における貨幣の処理内容や処理結果等を表示する表示部６４がそれぞれ設けられている。これらの操作部６２や表示部６４も制御部６０に通信接続されている。また、これらの操作部６２や表示部６４は、貨幣処理装置１０の筐体１１の上面に設けられている場合が多い。
【００１７】
次に、バラ紙幣入出金部２０の構成の詳細について図２を用いて説明する。バラ紙幣入出金部２０は、筐体１１の外部から内部にバラ紙幣を取り込み、この取り込まれたバラ紙幣を識別して筐体１１の内部に設けられた複数（例えば４つ）の収納カセット２６ａ〜２６ｄ（後述）に収納するとともに、各収納カセット２６ａ〜２６ｄに収納されたバラ紙幣を筐体１１の外部に出す機能を有している。
【００１８】
より具体的には、バラ紙幣入出金部２０は、バラ紙幣投入口２１と、出金リジェクト口２４と、入金リジェクト口２７と、筐体１１の内部でバラ紙幣の搬送を行う搬送部２２とを備えている。バラ紙幣投入口２１は通常はシャッター（図示せず）により閉められており、操作者が操作部６２により制御部６０に対してシャッター開動作を指令したときに、シャッターが開いてバラ紙幣投入口２１に複数のバラ紙幣を一括して投入することができるようになっている。また、バラ紙幣投入口２１には一対の繰出ローラ２１ａが設けられており、この一対の繰出ローラ２１ａによりバラ紙幣投入口２１に投入されたバラ紙幣は１枚ずつ搬送部２２に繰り出されるようになっている。
【００１９】
搬送部２２には、当該搬送部２２で搬送されるバラ紙幣の金種、真偽、正損等の識別を行う識別部２３が介設されている。また、バラ紙幣入出金部２０には、バラ紙幣を一時的に保留する入金一時保留カセット２５と、バラ紙幣を積層状態で収納する複数（例えば４つ）の収納カセット２６ａ、２６ｂ、２６ｃ、２６ｄとがそれぞれ設けられており、これらの入金一時保留カセット２５および各収納カセット２６ａ、２６ｂ、２６ｃ、２６ｄはそれぞれ搬送部２２に接続されている。入金一時保留カセット２５は、バラ紙幣投入口２１から搬送部２２に繰り出されたバラ紙幣を、収納カセット２６ａ、２６ｂ、２６ｃ、２６ｄに送る前に一時的に保留する機能を有している。収納カセット２６ａ、２６ｂ、２６ｃは、それぞれ特定の金種の紙幣を収納するようになっており、収納カセット２６ｄはあらゆる金種の紙幣を一括して収納するようになっている。ここで、入金一時保留カセット２５や各収納カセット２６ａ、２６ｂ、２６ｃ、２６ｄには、それぞれ一対の繰出ローラ２５ｅ、２６ｅが設けられており、この一対の繰出ローラ２５ｅ、２６ｅによりこれらのカセットに収納されたバラ紙幣を搬送部２２に繰り出すことができるようになっている。また、図２に示すように、搬送部２２に設けられた搬送路は様々な箇所で分岐するようになっており、この搬送路が分岐する箇所には例えば分岐爪からなる分岐部材２８がそれぞれ設けられている。
【００２０】
また、搬送部２２から出金リジェクト口２４や入金リジェクト口２７にバラ紙幣が１枚ずつ送られるようになっている。ここで、入金リジェクト口２７は、バラ紙幣投入口２１から搬送部２２に繰り出されたバラ紙幣のうち、識別部２３によりリジェクト紙幣であると識別されたバラ紙幣等が送られるようになっている。入金リジェクト口２７に送られたバラ紙幣は操作者により取り出されるようになっている。また、出金リジェクト口２４は、入金一時保留カセット２５や各収納カセット２６ａ、２６ｂ、２６ｃ、２６ｄから搬送部２２に繰り出されたバラ紙幣のうち、識別部２３によりリジェクト紙幣であると識別されたバラ紙幣等が送られるようになっている。出金リジェクト口２４はバラ紙幣入出金部２０の筐体の内部に設けられており、操作者は筐体の扉を開けないと出金リジェクト口２４にある紙幣を取り出すことができないようになっている。
【００２１】
次に、バラ硬貨入金部３０の構成の詳細について図３を用いて説明する。バラ硬貨入金部３０は、筐体１１の外部から内部にバラ硬貨を取り込み、この取り込まれたバラ硬貨を識別して筐体１１の内部に設けられた複数（例えば３つ）の収納カセット３５ａ〜３５ｃ（後述）に収納する機能を有している。
【００２２】
より具体的には、バラ硬貨入金部３０は、バラ硬貨投入口３１と、バラ硬貨投入口３１に投入されたバラ硬貨が送られる回転盤３２ａおよび繰出ホッパ３２ｂと、回転盤３２ａからバラ硬貨を掻き出す掻出機構３３ａとを備えている。バラ硬貨投入口３１は通常はシャッター（図示せず）により閉められており、操作者が操作部６２により制御部６０に対してシャッター開動作を指令したときに、シャッターが開いてバラ硬貨投入口３１に複数のバラ硬貨を一括して投入することができるようになっている。
【００２３】
バラ硬貨投入口３１から回転盤３２ａに送られたバラ硬貨は当該回転盤３２ａに設けられた突起部３２ｃに引っ掛かることによりすくい上げられ、この回転盤３２ａの回転動作に沿って回転し、掻出機構３３ａにより回転盤３２ａの突起部３２ｃに引っ掛かった状態から掻き出されるようになっている。また、バラ硬貨入金部３０には、掻出機構３３ａにより回転盤３２ａから掻き出されたバラ硬貨の識別および計数を行う識別部３３ｂ、識別部３３ｂにより識別されたバラ硬貨のうちリジェクト硬貨の選別を行うリジェクト選別部３３ｃ、リジェクト選別部３３ｃの下流側に配置され１または複数の特定の金種の硬貨の選別をそれぞれ行う複数（例えば３つ）の選別部３３ｄ、３３ｅ、３３ｆがそれぞれ設けられている。
【００２４】
また、バラ硬貨入金部３０には返却口３６が設けられており、繰出ホッパ３２ｂにバラ硬貨以外の異物が収容された場合には、この異物が繰出ホッパ３２ｂから返却口３６に送られるようになっている。返却口３６に送られた異物は操作者により取り出されるようになっている。また、識別部３３ｂによりリジェクト硬貨であると識別されたバラ硬貨もリジェクト選別部３３ｃから返却口３６に送られるようになっている。このため、返却口３６に送られたリジェクト硬貨も操作者により取り出されるようになっている。
【００２５】
また、バラ硬貨入金部３０には、バラ硬貨の各金種に対応する複数（例えば３つ）の一時保留部３４ａ、３４ｂ、３４ｃがそれぞれ設けられている。ここで、一時保留部３４ｃは選別部３３ｄに対応しており、この選別部３３ｄにより選別された１または複数の特定の金種のバラ硬貨が送られるようになっている。また、一時保留部３４ｂは選別部３３ｅに対応しており、この選別部３３ｅにより選別された１または複数の特定の金種のバラ硬貨が送られるようになっている。また、一時保留部３４ａは選別部３３ｆに対応しており、この選別部３３ｆにより選別された１または複数の特定の金種のバラ硬貨が送られるようになっている。
【００２６】
さらに、バラ硬貨入金部３０には、バラ硬貨の各金種に対応する複数（例えば３つ）の収納カセット３５ａ、３５ｂ、３５ｃがそれぞれ設けられている。ここで、収納カセット３５ａ、３５ｂ、３５ｃはそれぞれ一時保留部３４ａ、３４ｂ、３４ｃに対応しており、一時保留部３４ａ、３４ｂ、３４ｃに一時的に保留されたバラ硬貨がそれぞれ対応する収納カセット３５ａ、３５ｂ、３５ｃに送られて当該収納カセット３５ａ、３５ｂ、３５ｃに収納されるようになっている。
【００２７】
なお、一時保留部３４ａ〜３４ｃおよび収納カセット３５ａ〜３５ｃは、それぞれ１または複数の特定の金種に対応するよう設置されることに限定されることはなく、一時保留部３４ａ〜３４ｃおよび収納カセット３５ａ〜３５ｃがそれぞれ全ての金種のバラ硬貨を混合して収納するようになっていてもよい。この場合には、掻出機構３３ａにより回転盤３２ａから掻き出されたバラ硬貨は金種に関係なく全て一時保留部３４ａに送られ、その後収納カセット３５ａに収納される。そして、収納カセット３５ａが満杯になったらバラ硬貨は金種に関係なく全て収納カセット３５ｂに収納され、収納カセット３５ｂが満杯になったら次に収納カセット３５ｃに収納されることとなる。このように、バラ硬貨入金部３０において、筐体１１の外部から内部に取り込まれたバラ硬貨を金種に関係なく一括して収納カセット３５ａ〜３５ｃに混合状態で収納した場合には、筐体１１の外部から内部に取り込まれたバラ硬貨を金種毎に分ける必要がなくなるので、より迅速にバラ硬貨の入金処理を行うことができるようになる。また、金種別にバラ硬貨の収納部分を設けていた場合には、特定の金種のバラ硬貨が他の金種のバラ硬貨よりも多く筐体１１の内部に取り込まれると、この特定の金種のバラ硬貨を当該金種に対応する収納部分から頻繁に回収しなければならなくなるので、作業効率が悪くなるという問題がある。しかしながら、全ての金種のバラ硬貨を混合して収納カセット３５ａ〜３５ｃに収納するようにすれば、バラ硬貨の回収動作をより効率的に行うことができるようになる。
【００２８】
また、バラ硬貨入金部３０には返却箱３８が設けられている。ここで、一時保留部３４ａ、３４ｂ、３４ｃに一時的に保留されたバラ硬貨は必ずしもそれぞれ対応する収納カセット３５ａ、３５ｂ、３５ｃに送られるわけではなく、一時保留部３４ａ、３４ｂ、３４ｃに一時的に保留されたバラ硬貨が返却箱３８に送られる場合もある。この場合、返却箱３８に送られたバラ硬貨は操作者により取り出されるようになっている。
【００２９】
次に、バラ硬貨出金部４０の構成の詳細について図４を用いて説明する。バラ硬貨出金部４０は、筐体１１の内部に設けられた硬貨ホッパ部４１ａ、４１ｂ、４１ｃ、４１ｄに金種毎に収納されたバラ硬貨を筐体１１の外部に出す機能を有している。各硬貨ホッパ部４１ａ、４１ｂ、４１ｃ、４１ｄには、操作者が必要に応じて任意の金種のバラ硬貨を手動で装填することができるようになっている。
【００３０】
より具体的には、バラ硬貨出金部４０は、バラ硬貨の金種毎に設けられた複数（例えば４つ）の硬貨ホッパ部４１ａ、４１ｂ、４１ｃ、４１ｄと、これらの硬貨ホッパ部４１ａ、４１ｂ、４１ｃ、４１ｄから下方に出されたバラ硬貨を搬送する例えば横方向コンベアからなる搬送部４２と、搬送部４２で搬送されたバラ硬貨の出金判別を行う出金判別部４３と、硬貨の出金を行うバラ硬貨出金口４４と、リジェクト硬貨等の収納を行うリジェクトボックス４５とを備えている。
【００３１】
各硬貨ホッパ部４１ａ、４１ｂ、４１ｃ、４１ｄには計数センサ（図示せず）がそれぞれ設けられており、各計数センサにより、各硬貨ホッパ部４１ａ、４１ｂ、４１ｃ、４１ｄから搬送部４２に送られるバラ硬貨の計数が行われるようになっている。各硬貨ホッパ部４１ａ、４１ｂ、４１ｃ、４１ｄから搬送部４２に送られたバラ硬貨は当該搬送部４２で搬送され、出金判別部４３に送られるようになっている。出金判別部４３により正常なバラ硬貨であると判別されたバラ硬貨はバラ硬貨出金口４４に送られる。バラ硬貨出金口４４は通常はシャッター（図示せず）により閉められており、操作者が操作部６２により制御部６０に対してシャッター開動作を指令したときに、シャッターが開いてバラ硬貨出金口４４に収容されたバラ硬貨を一括して取り出すことができるようになっている。一方、出金判別部４３によりリジェクト硬貨であると判別されたバラ硬貨はリジェクトボックス４５に収納される。このリジェクトボックス４５は、例えば一日における貨幣の処理が全て終了した後に、管理者により筐体１１から取り出されて当該リジェクトボックス４５に収納されたリジェクト硬貨が回収されるようになっている。なお、リジェクトボックス４５の代わりに、リジェクト硬貨以外の硬貨の回収も行う回収ボックスを設けてもよい。
【００３２】
次に、包装硬貨出金部５０の構成の詳細について図５を用いて説明する。包装硬貨出金部５０は、筐体１１の内部に設けられた複数（例えば７つ）の収納カセット５１ａ〜５１ｇに金種毎に収納された包装硬貨を筐体１１の外部に出す機能を有している。
【００３３】
より具体的には、包装硬貨出金部５０は、複数の包装硬貨をそれぞれ金種毎に収納する複数（例えば７つ）の収納カセット５１ａ〜５１ｇと、各収納カセット５１ａ〜５１ｇから包装硬貨が１つずつ送られる包装硬貨投出部５３とを備えている。各収納カセット５１ａ〜５１ｇには、操作者が必要に応じて任意の金種の棒金硬貨を手動で装填することができるようになっている。各収納カセット５１ａ〜５１ｇは、包装硬貨の長手方向が図５の紙面に対して垂直方向に延びるよう、複数の包装硬貨を収納するようになっている。すなわち、図５において各収納カセット５１ａ〜５１ｇ内にある丸印はそれぞれ包装硬貨の断面を示しており、包装硬貨は図５の紙面に対して垂直方向に延びている。また、図５に示すように、各収納カセット５１ａ〜５１ｇはそれぞれ包装硬貨投出部５３に向かってわずかに下方に傾斜しており、これらの収納カセット５１ａ〜５１ｇに収納された包装硬貨は自重により包装硬貨投出部５３に向かって移動するようになっている。
【００３４】
包装硬貨投出部５３は、各収納カセット５１ａ〜５１ｇから包装硬貨が１つずつ送られるようになっている。図５に示すように、包装硬貨投出部５３は昇降移動するようになっており、各収納カセット５１ａ〜５１ｇの右端部の各高さレベルにそれぞれ移動して各収納カセット５１ａ〜５１ｇから包装硬貨を受け取るようになっている。
【００３５】
また、収納カセット５１ａ〜５１ｇには、図５における当該収納カセット５１ａ〜５１ｇの左右方向に沿って移動する精査センサ部５２が設けられている。この精査センサ部５２は、各収納カセット５１ａ〜５１ｇに収納された棒金硬貨の金種等の識別や、各収納カセット５１ａ〜５１ｇにおける棒金硬貨の収納本数の検出等を行うようになっている。
【００３６】
また、図５に示すように、包装硬貨投出部５３の上方にはシャッター５４が設けられている。このシャッター５４は通常は閉められており、操作者が操作部６２により制御部６０に対してシャッター開動作を指令したときに、包装硬貨投出部５３が最も高レベルの位置に移動するとともにシャッター５４が開き、包装硬貨投出部５３に収容された包装硬貨を操作者が取り出すことができるようになっている。
【００３７】
制御部６０は、操作者が操作部６２によりこの制御部６０に対してなされた様々な指令に基づいて、バラ紙幣入出金部２０、バラ硬貨入金部３０、バラ硬貨出金部４０および包装硬貨出金部５０の制御をそれぞれ行うようになっている。制御部６０による各構成要素に対する制御内容については後述する。また、制御部６０は、表示部６４における表示内容、具体的には貨幣の処理内容や処理結果等を制御するようになっている。
【００３８】
次に、このような構成からなる貨幣処理装置１０の動作について説明する。
【００３９】
まず、顧客等の操作者によって入金処理の指令が操作部６２により制御部６０に対してなされた場合には、バラ紙幣入出金部２０におけるバラ紙幣投入口２１のシャッター（図示せず）およびバラ硬貨入金部３０におけるバラ硬貨投入口３１のシャッター（図示せず）が開く。そして、操作者がバラ紙幣をバラ紙幣投入口２１に一括して投入するとともにバラ硬貨をバラ硬貨投入口３１に一括して投入する。なお、入金処理においてバラ紙幣およびバラ硬貨のうち一方のもののみを対応する投入口に投入するようにしてもよい。
【００４０】
バラ紙幣投入口２１に投入されたバラ紙幣は、搬送部２２、識別部２３および入金一時保留カセット２５を経て、最終的に各収納カセット２６ａ〜２６ｄに金種別に収納される。なお、バラ紙幣投入口２１に投入されたバラ紙幣のうちリジェクト紙幣は入金リジェクト口２７に送られる。
【００４１】
一方、バラ硬貨投入口３１に投入されたバラ硬貨は、回転盤３２ａ、掻出機構３３ａ、識別部３３ｂ、リジェクト選別部３３ｃ、各選別部３３ｄ、３３ｅ、３３ｆ、各一時保留部３４ａ、３４ｂ、３４ｃを経て、最終的に各収納カセット３５ａ〜３５ｃに金種別に収納される。なお、バラ硬貨投入口３１に投入されたバラ硬貨のうちリジェクト硬貨はリジェクト選別部３３ｃから返却口３６に送られる。
【００４２】
このようにして、バラ紙幣およびバラ硬貨の入金処理が行われる。このような入金処理が行われる際に、識別部２３によりバラ紙幣の識別および計数が行われるとともに、識別部３３ｂによりバラ硬貨の識別および計数が行われ、識別部２３、３３ｂによる貨幣の識別結果および計数結果が制御部６０に送られる。制御部６０は表示部６４を制御し、貨幣の各金種における入金枚数や入金金額等を表示部６４で表示させる。
【００４３】
次に、顧客等の操作者によって両替処理の指令が操作部６２により制御部６０に対してなされた場合には、バラ紙幣入出金部２０におけるバラ紙幣投入口２１のシャッター（図示せず）およびバラ硬貨入金部３０におけるバラ硬貨投入口３１のシャッター（図示せず）が開く。そして、操作者がバラ紙幣をバラ紙幣投入口２１に投入した場合には、このバラ紙幣は、搬送部２２、識別部２３および入金一時保留カセット２５を経て、最終的に各収納カセット２６ａ〜２６ｄに金種別に収納される。ここで、紙幣と硬貨の両替を行う場合には、識別部２３によりバラ紙幣の識別および計数が行われ、各収納カセット２６ａ〜２６ｄに収納されたバラ紙幣と合計金額が同じとなるような枚数のバラ硬貨または包装硬貨がバラ硬貨出金部４０または包装硬貨出金部５０から自動的に出金される。なお、操作者が硬貨の金種や枚数を予め設定されたテンプレートから選択することにより、出金されるバラ硬貨または包装硬貨の金種や枚数を指定することができるようになっていてもよい。また、紙幣同士の両替を行う場合には、バラ紙幣投入口２１に投入され各収納カセット２６ａ〜２６ｄに収納されたバラ紙幣と異なる金種であり合計金額が同じとなるような枚数の紙幣がバラ紙幣入出金部２０から自動的に出金される。なお、操作者が紙幣の金種や枚数を予め設定されたテンプレートから選択することにより、出金されるバラ紙幣の金種や枚数を指定することができるようになっていてもよい。
【００４４】
また、両替処理において操作者がバラ硬貨をバラ硬貨投入口３１に投入した場合には、このバラ硬貨は、回転盤３２ａ、掻出機構３３ａ、識別部３３ｂ、リジェクト選別部３３ｃ、各選別部３３ｄ、３３ｅ、３３ｆ、各一時保留部３４ａ、３４ｂ、３４ｃを経て、最終的に各収納カセット３５ａ〜３５ｃに金種別に収納される。ここで、硬貨同士の両替を行う場合には、識別部３３ｂによりバラ硬貨の識別および計数が行われ、各収納カセット３５ａ、３５ｂ、３５ｃに収納されたバラ硬貨と異なる金種であり合計金額が同じとなるような枚数のバラ硬貨または包装硬貨がバラ硬貨出金部４０または包装硬貨出金部５０から自動的に出金される。なお、操作者が硬貨の金種や枚数を予め設定されたテンプレートから選択することにより、出金されるバラ硬貨または包装硬貨の金種や枚数を指定することができるようになっていてもよい。また、硬貨と紙幣の両替を行う場合には、バラ硬貨投入口３１に投入され各収納カセット３５ａ〜３５ｃに収納されたバラ硬貨と合計金額が同じとなるような枚数の紙幣がバラ紙幣入出金部２０から自動的に出金される。なお、操作者が紙幣の金種や枚数を予め設定されたテンプレートから選択することにより、出金されるバラ紙幣の金種や枚数を指定することができるようになっていてもよい。
【００４５】
以上のように本実施の形態の貨幣処理装置１０によれば、バラ紙幣入出金部２０によりバラ紙幣の入金処理および出金処理を行い、バラ硬貨入金部３０によりバラ硬貨の入金処理を行うとともにバラ硬貨出金部４０によりバラ硬貨の出金処理を行い、さらに包装硬貨出金部５０により包装硬貨の出金処理を行うようになっており、１つの装置で紙幣および硬貨の各々の入金処理および両替処理の両方を行うことができるようになっている。また、バラ紙幣はバラ紙幣入出金部２０によりリサイクル処理されるのに対し、バラ硬貨はリサイクル処理されることなく、代わりに、バラ硬貨入金部３０において筐体１１の内部に取り込まれたバラ硬貨は各収納カセット３５ａ〜３５ｃに収納されるとともにこの収納カセット３５ａ〜３５ｃとは異なる硬貨ホッパ部４１ａ〜４１ｄに収納されたバラ硬貨が筐体１１の外部に出されるようになっている。ここで、紙幣および硬貨の両方をリサイクル処理しようとすると、貨幣処理装置１０が大型化してしまうという問題がある。すなわち、両替処理には必ずしも全金種の紙幣および硬貨が必要となるわけではない。具体的には、両替処理において出金が必要とされる硬貨の金種は全ての金種ではなく、特定の金種の硬貨のみとなっている。このため、全ての硬貨をリサイクル処理しようとした場合には両替処理で出金が必要とされない硬貨までも保管しておくこととなり、貨幣の回転効率が悪くなってしまう。これに対して、上述のような貨幣処理装置１０によれば、硬貨のリサイクル処理は行わないので、貨幣処理装置１０に設けられる機能を最小限のものとすることができるので装置全体を小型化することができ、このため省スペース化を図ることができる。さらに、両替処理において一般的に出金されることの少ない束紙幣に関しては、このような束紙幣の出金機能自体を省略したので、上述のような貨幣処理装置１０において束紙幣を筐体１１内に収納する必要がなくなり、金融営業店での貨幣の回転効率を良好なものとすることができる。
【００４６】
なお、本発明による貨幣処理装置１０は、上記の態様に限定されるものではなく、様々の変更を加えることができる。
【００４７】
例えば、バラ紙幣入出金部としては、図２に示すような構成のものに限定されることはなく、筐体の外部から内部にバラ紙幣を取り込み、この取り込まれたバラ紙幣を識別して筐体の内部に収納するとともに、この収納されたバラ紙幣を筐体の外部に出すことができるものであれば、すなわちバラ紙幣のリサイクル処理を行うことができるものであれば、様々な態様のものとすることができる。具体的には、一例として、図２に示すバラ紙幣入出金部２０において、入金一時保留カセット２５を省略することも可能である。
【００４８】
また、バラ硬貨出金部において、硬貨ホッパ部を全てのバラ硬貨の金種に対応するよう設置するのではなく、１または複数の特定の金種のみの硬貨に対応するよう設置してもよい。具体的には、全ての金種に対応して硬貨ホッパ部を設ける場合には、６つ（１円硬貨、５円硬貨、１０円硬貨、５０円硬貨、１００円硬貨、５００円硬貨）の硬貨ホッパ部を設置する必要があるが、このように全ての金種に対応して硬貨ホッパ部を設ける代わりに、１００円硬貨および５００円硬貨にそれぞれ対応する２つの硬貨ホッパ部のみを設置するようにしてもよい。このように、バラ硬貨出金部の硬貨ホッパ部として、全ての金種の硬貨を金種毎に収納させる代わりに、出金処理で頻繁に釣銭として出金される金種のみの硬貨を金種毎に収納させるようにすることにより、硬貨ホッパ部の設置台数を減らすことができるのでバラ硬貨出金部の構成をよりシンプルなものとすることができ、貨幣処理装置全体のより一層の小型化を図ることができる。なお、両替処理で顧客が望む出金硬貨の金種は１００円硬貨および５００円硬貨が多いので、１００円硬貨を収納する硬貨ホッパ部および５００円硬貨を収納する硬貨ホッパ部を設けることが特に好ましい。
【図面の簡単な説明】
【００４９】
【図１】本発明の一の実施の形態に係る貨幣処理装置の全体構成を示す概略構成図である。
【図２】図１に示す貨幣処理装置におけるバラ紙幣入出金部の構成を示す概略構成図である。
【図３】図１に示す貨幣処理装置におけるバラ硬貨入金部の構成を示す概略構成図である。
【図４】図１に示す貨幣処理装置におけるバラ硬貨出金部の構成を示す概略構成図である。
【図５】図１に示す貨幣処理装置における包装硬貨出金部の構成を示す概略構成図である。
【符号の説明】
【００５０】
１０  貨幣処理装置
１１  筐体
２０  バラ紙幣入出金部
２１  バラ紙幣投入口
２１ａ  繰出ローラ
２２  搬送部
２３  識別部
２４  出金リジェクト口
２５  入金一時保留カセット
２５ｅ  繰出ローラ
２６ａ〜２６ｄ  収納カセット
２６ｅ  繰出ローラ
２７  入金リジェクト口
２８  分岐部材
３０  バラ硬貨入金部
３１  バラ硬貨投入口
３２ａ  回転盤
３２ｂ  繰出ホッパ
３２ｃ  突起部
３３ａ  掻出機構
３３ｂ  識別部
３３ｃ  リジェクト選別部
３３ｄ〜３３ｆ  選別部
３４ａ〜３４ｃ  一時保留部
３５ａ〜３５ｃ  収納カセット
３６  返却口
３８  返却箱
４０  バラ硬貨出金部
４１ａ〜４１ｄ  硬貨ホッパ部
４２  搬送部
４３  出金判別部
４４  バラ硬貨出金口
４５  リジェクトボックス
５０  包装硬貨出金部
５１ａ〜５１ｇ  収納カセット
５２  精査センサ部
５３  包装硬貨投出部
５４  シャッター
６０  制御部
６２  操作部
６４  表示部
【図１】
2010026926.tif 000003
【図２】
2010026926.tif 000004
【図３】
2010026926.tif 000005
【図４】
2010026926.tif 000006
【図５】
2010026926.tif 000007